(57)【要約】【課題】物品収納部の部分的な開放を行ない得ると共に、コンソールリッドを全閉位置または全開位置から１アクションで全開位置または全閉位置まで変位させる。【解決手段】コンソール本体１０のガイド溝２８は、第１ガイド部２８ａ、第２ガイド部２８ｂおよび第３ガイド部２８ｃを備える。コンソールリッド１４の第３係合突起３０は、ガイド溝２８に対して移動および回動が自在な状態で係合する。第３係合突起３０が第１ガイド部２８ａに沿って前後動することで、コンソールリッド１４は全閉位置と半開放位置との間を移動する。第３係合突起３０が第２ガイド部２８ｂに沿って上方に移動することで、コンソールリッド１４は半開放位置から全開位置に回動変位する。第３係合突起３０が第３ガイド部２８ｃに沿って移動することで、コンソールリッド１４は全閉位置と全開位置とに１アクションで姿勢変位する。【選択図】図１
2008105512.tif 000002
【特許請求の範囲】
【請求項１】
物品収納部を画成したコンソール本体の上部に開閉自在に配設したコンソールリッドの開閉構造において、
前記コンソール本体に設けられたガイド手段と、
前記コンソールリッドに配設され、前記ガイド手段に対して相対的な移動が自在な状態で係合する係合手段とを備え、
前記ガイド手段と係合手段は、前記物品収納部を閉成する全閉位置と該物品収納部を部分的に開放する半開放位置との間の前記コンソールリッドのスライド移動を案内すると共に、半開放位置のコンソールリッドが物品収納部を全開する全開位置に向けて回動変位して起立姿勢となるのを案内し、更に全閉位置または全開位置のコンソールリッドが全開位置または全閉位置に向けて回動変位するのを案内するよう形成されている
ことを特徴とするコンソールリッドの開閉構造。
【請求項２】
前記ガイド手段は、コンソールリッドが全閉位置と半開放位置との間を前後にスライド移動する際に係合手段を案内する前後方向に延在する第１ガイド部と、第１ガイド部の後端に連設されて半開放位置のコンソールリッドが全開位置に向けて回動変位する際に係合手段を案内する上下方向に延在する第２ガイド部と、第２ガイド部の上端と第１ガイド部の前端との間に連設するよう設けられてコンソールリッドが全閉位置と全開位置との間を回動変位する際に係合手段を案内する第３ガイド部とを備えている請求項１記載のコンソールリッドの開閉構造。
【請求項３】
前記全開位置に回動変位したコンソールリッドの係合手段が臨む第２ガイド部と第３ガイド部との連設部に、該連設部に到来した係合手段が第２ガイド部に移行するのを規制する規制手段が設けられている請求項２記載のコンソールリッドの開閉構造。
【請求項４】
前記コンソールリッドには、前記係合手段の配設位置より後側に、前後方向に延在するスライド用溝が形成され、該スライド用溝に、前記コンソール本体に設けた係合突起が相対的に移動自在な状態で係合している請求項２または３記載のコンソールリッドの開閉構造。
【発明の詳細な説明】
【技術分野】
【０００１】
本発明は、物品収納部を画成したコンソール本体の上部に開閉自在に配設したコンソールリッドの開閉構造に関するものである。
【背景技術】
【０００２】
自動車の車内において、特に前部座席間(運転席と助手席との間)に設置されるフロアコンソールは、上方へ開口する物品収納部が内部画成されたコンソール本体と、該コンソール本体の上部に配設されて物品収納部の上部開口部を開閉するコンソールリッドとから基本的に構成される。コンソールリッドの開閉構造については、物品収納部の部分的な開放が可能で、かつ全開時における後方あるいは上方への突出寸法を少なく抑えることができるものが要請されている。この要請に応えるものとして、例えば特許文献１に開示されているように、コンソール本体に形成されて前後方向および上下方向に延在するガイド溝に、コンソールリッドに設けた係合ピンを摺動自在に係合するようにしたものが提案されている。この構成によれば、コンソールリッドを全閉位置から後方にスライド移動することで、物品収納部における前側の領域のみを部分的に開放することができる。また、コンソールリッドを後端位置までスライド移動させた後に、ガイド溝における上下方向に延在する部分に沿って後部を押下げるようにコンソールリッドを回動することで、該コンソールリッドは上方および後方への突出寸法が抑えられた状態で起立姿勢に変位し、物品収納部を全開することができる。
【特許文献１】特開２００５−１７０３３１号公報
【発明の開示】
【発明が解決しようとする課題】
【０００３】
特許文献１に開示の構造では、物品収納部の上部開口部を全開する場合は、コンソールリッドを後端位置までスライド移動させた後、該コンソールリッドを回動して起立させる２アクションが必要となる。また、全開状態の物品収納部の上部開口部を全閉する場合も、同様に全開位置で起立姿勢となっているコンソールリッドを回動して水平姿勢に戻した後に、前方へスライド移動させる２アクションが必要となる。すなわち、物品収納部の上部開口部を全開あるいは全閉する際におけるコンソールリッドの開閉操作が煩わしく、操作性に劣る難点が指摘される。
【０００４】
すなわち本発明は、前述した従来の技術に内在している前記課題に鑑み、これを好適に解決するべく提案されたものであって、物品収納部の部分的な開放を行ない得ると共に、コンソールリッドを全閉位置または全開位置から１アクションで全開位置または全閉位置まで変位させ得るようにしたコンソールリッドの開閉構造を提供することを目的とする。
【課題を解決するための手段】
【０００５】
前述した課題を解決し、所期の目的を達成するため、請求項１の発明に係るコンソールリッドの開閉構造は、
物品収納部を画成したコンソール本体の上部に開閉自在に配設したコンソールリッドの開閉構造において、
前記コンソール本体に設けられたガイド手段と、
前記コンソールリッドに配設され、前記ガイド手段に対して相対的な移動が自在な状態で係合する係合手段とを備え、
前記ガイド手段と係合手段は、前記物品収納部を閉成する全閉位置と該物品収納部を部分的に開放する半開放位置との間の前記コンソールリッドのスライド移動を案内すると共に、半開放位置のコンソールリッドが物品収納部を全開する全開位置に向けて回動変位して起立姿勢となるのを案内し、更に全閉位置または全開位置のコンソールリッドが全開位置または全閉位置に向けて回動変位するのを案内するよう形成されていることを特徴とする。
請求項１の発明によれば、コンソールリッドをスライド移動することで、物品収納部を部分的に開放し得ると共に、該コンソールリッドを全閉位置または全開位置から１アクションで全開位置または全閉位置まで変位させることができ、コンソールリッドの操作性が向上する。しかも、コンソールリッドの開閉動作を実現するために単純なカム機構を用いているので、構成が簡単になって組立作業工数の減少および製造コストの低減を図り得る。
【０００６】
請求項２に係る発明では、前記ガイド手段は、コンソールリッドが全閉位置と半開放位置との間を前後にスライド移動する際に係合手段を案内する前後方向に延在する第１ガイド部と、第１ガイド部の後端に連設されて半開放位置のコンソールリッドが全開位置に向けて回動変位する際に係合手段を案内する上下方向に延在する第２ガイド部と、第２ガイド部の上端と第１ガイド部の前端との間に連設するよう設けられてコンソールリッドが全閉位置と全開位置との間を回動変位する際に係合手段を案内する第３ガイド部とを備えていることを要旨とする。
請求項２の発明によれば、コンソール本体に設けたガイド手段の各ガイド部によってコンソールリッドに設けた係合手段を案内するから、該コンソールリッドの安定した移動を達成し得る。また、各ガイド部の端部で係合手段を係合保持し得るから、コンソールリッドを全閉位置、半開放位置および全開位置に確実に保持することができる。
【０００７】
請求項３に係る発明では、前記全開位置に回動変位したコンソールリッドの係合手段が臨む第２ガイド部と第３ガイド部との連設部に、該連設部に到来した係合手段が第２ガイド部に移行するのを規制する規制手段が設けられていることを要旨とする。
請求項３の発明によれば、第２ガイド部と第３ガイド部との連設部に到来した係合手段を規制手段で第２ガイド部に移行しないようにしたから、全開位置に臨むコンソールリッドが半開放位置に姿勢変位することはない。すなわち、全開位置に姿勢変位したコンソールリッドは、全閉位置への回動変位のみが許容されるので、該コンソールリッドは常に１アクションで全閉位置に戻すことができる。
【０００８】
請求項４に係る発明では、前記コンソールリッドには、前記係合手段の配設位置より後側に、前後方向に延在するスライド用溝が形成され、該スライド用溝に、前記コンソール本体に設けた係合突起が相対的に移動自在な状態で係合していることを要旨とする。
請求項４の発明によれば、コンソールリッドは係合手段とガイド手段および係合突起とスライド用溝で案内されるから、該コンソールリッドのより安定した開閉動作が達成される。
【発明の効果】
【０００９】
本発明に係るコンソールリッドの開閉構造によれば、物品収納部を部分的に開放し得ると共に、コンソールリッドを全閉位置または全開位置から１アクションで全開位置または全閉位置まで変位させることができ、操作性が向上する。
【発明を実施するための最良の形態】
【００１０】
次に、本発明に係るコンソールリッドの開閉構造につき、最適な実施例を挙げて、添付図面を参照しながら以下説明する。
【実施例】
【００１１】
図１は、実施例の開閉構造を備えたフロアコンソールの概略構成を、コンソールリッドを全閉位置に保持した状態で一部破断して示した部分側面図である。実施例のフロアコンソール(コンソールボックス)ＦＣは、上方に開口する物品収納部１１を画成したコンソール本体１０と、該コンソール本体１０の上部に配設され、物品収納部１１の上部開口部１３を全面的に閉成する全閉位置、上部開口部１３を部分的に開放する半開放位置および全開する全開位置とに姿勢変位可能なコンソールリッド１４とを主要構成部品としている。
【００１２】
コンソール本体１０は、例えばポリプロピレン(ＰＰ)等の合成樹脂素材からインジェクション成形された合成樹脂製の成形部材であって、外部意匠面を形成するアウター部材１５と、このアウター部材１５の内部後側部分に収容設置されて前記物品収納部１１を画成する上方に開放する箱状のインナー部材１６とから構成される(図２〜図４参照)。そして、コンソール本体１０の図示省略した前側部分は、チェンジレバーやドリンクホルダ等の設置部とされ、その前端部分が図示しないインストルメントパネルの中央下部に連結される。なお、インナー部材１６の開口が前記上部開口部１３となる。
【００１３】
アウター部材１５とインナー部材１６との間に臨むコンソール本体１０の上面には、図３または図４に示す如く、物品収納部１１の上部開口部１３を挟む左右両側に、前後方向に延在するスリット１７,１７が形成され、該スリット１７,１７は、アウター部材１５とインナー部材１６との間に画成された左右の空間部に連通している。なお、インナー部材１６の内部には、図１または図２に示す如く、物品収納部１１を前後に仕切る仕切板１８が、前後方向の所定位置に配設されて、物品収納部１１は前部領域１１ａと後部領域１１ｂとに区画され、前記コンソールリッド１４は、実施例では前部領域１１ａのみを開放する位置が半開放位置とされている(図６参照)。
【００１４】
コンソールリッド１４は、例えばポリプロピレン(ＰＰ)等の合成樹脂素材からインジェクション成形され、図１に示す如く、前記物品収納部１１の上部開口部１３を全閉し得る形状・サイズとされたリッド部材１９と、このリッド部材１９の外面(上面)に配設される弾性部材２０と、この弾性部材２０を被覆する表皮材２１とから構成される。すなわち、弾性部材２０および表皮材２１を配設することで触感向上および質感向上が図られ、コンソールリッド１４が全閉位置または半開放位置に保持されている状態で、前部座席を利用する乗員のアームレストとして機能するようになっている。但し、コンソールリッド１４は、アームレスト機能を具有する必要がない場合は、前述したリッド部材１９だけで構成される場合もある。なお、リッド部材１９の前端部には、リッド開閉操作時に指先を掛ける指掛部１９ａが設けられている。
【００１５】
コンソール本体１０に対してコンソールリッド１４を開閉自在に支持する構造が、インナー部材１６を挟んで左右両側に配設されているが、その構成は左右対象であるので、同一部材には同一符号を付すものとする。
【００１６】
インナー部材１６における左右両側には、図１および図２に示す如く、後端部に支持部材２２,２２が配設され、各支持部材２２におけるインナー部材１６の上端から突出する上端部の内側に、第１係合突起(係合突起)２３が突設されている。またコンソールリッド１４におけるリッド部材１９の左右両側には、後部側において前後方向に所定長さで延在する第１スライド用溝(スライド用溝)２４,２４が形成され、各スライド用溝２４に、対応する支持部材２２の第１係合突起２３が摺動自在に係合している。なお、第１係合突起２３,２３が第１スライド用溝２４,２４に係合した状態で、コンソールリッド１４の前後方向のスライド移動と、第１係合突起２３,２３を支点とする回動が可能に構成されている(図６,図７参照)。
【００１７】
インナー部材１６における左右両側には、図１および図３に示す如く、前部側の上側に、前後方向に所定長さで延在する第２スライド用溝２５,２５が形成されている。また各第２スライド用溝２５の前端および後端には、インナー部材１６に形成されて上方に開放する前出入口２５ａおよび後出入口２５ｂが連設されている。これに対してコンソールリッド１４におけるリッド部材１９の左右両側における前端部には、コンソール本体１０に形成された前記スリット１７,１７を介して前記空間部に挿脱可能な保持部材２６,２６が配設され、各保持部材２６におけるコンソールリッド１４の下端から突出する下端部の内側に、第２係合突起２７が突設されている。そして、各第２係合突起２７が、対応する第２スライド用溝２５に摺動自在に係合している。なお、コンソールリッド１４の図１に示す全閉位置において、前記第２係合突起２７が第２スライド用溝２５の前端に位置し、全閉位置から前方へのコンソールリッド１４のスライド移動を規制するよう構成される。また、コンソールリッド１４の全閉位置において前記第１係合突起２３が第１スライド用溝２４の後端に位置し、該第１係合突起２３を支点としてコンソールリッド１４を回動することで、第２スライド用溝２５に対して第２係合突起２７が前出入口２５ａを介して離脱および挿入し得るようになっている。
【００１８】
第１スライド用溝２４および第２スライド用溝２５の前後長さは同一に設定され、コンソールリッド１４は、スライド用溝２４,２５の前後長さの間で前後にスライド移動し得るようになっている。そして、第１スライド用溝２４の前端に第１係合突起２３が位置するようコンソールリッド１４を後退した半開放位置において、図６に示す如く、第２スライド用溝２５の後端に第２係合突起２７が臨み、この状態で、前記物品収納部１１における前部領域１１ａが開放されるよう設定される。更に、コンソールリッド１４の半開放位置において、第１係合突起２３を支点としてコンソールリッド１４を回動することで、第２スライド用溝２５に対して第２係合突起２７は後出入口２５ｂを介して離脱および挿入が可能になっている。
【００１９】
インナー部材１６における左右両側には、前記支持部材２２,２２の配設位置より前側に、ガイド手段としてのガイド溝２８,２８が形成されている。各ガイド溝２８は、図１に示す如く、略三角形状の軌跡を描くように凹設されたもので、前記第１および第２スライド用溝２４,２５と平行でかつ同一長さで前後方向に延在する第１ガイド部２８ａと、第１ガイド部２８ａの後端から上方に向けて弧状に延在する第２ガイド部２８ｂと、第２ガイド部２８ｂの上端と第１ガイド部２８ａの前端との間に延在する第３ガイド部２８ｃとから構成される。また、コンソールリッド１４におけるリッド部材１９の左右両側には、前記第１スライド用溝２４,２４の前端より前側に、図４に示す如く、コンソール本体１０に形成した前記スリット１７,１７を介して空間部に挿入されるアーム部材２９,２９が下面から延出するように配設される。各アーム部材２９における下端部の内側に、係合手段としての第３係合突起３０が突設され、該第３係合突起３０が対応するガイド溝２８に摺動および回動が自在な状態で係合している。
【００２０】
図１に示す如く、コンソールリッド１４が全閉位置に臨む状態で、第３係合突起３０はガイド溝２８における第１ガイド部２８ａの前端に位置して、該第１ガイド部２８ａは、全閉位置のコンソールリッド１４が半開放位置に向けてスライド移動する際に第３係合突起３０を案内するべく機能する。また、コンソールリッド１４が半開放位置に到来した際には、第３係合突起３０は第１ガイド部２８ａの後端に位置し(図６参照)、この状態から第２ガイド部２８ｂへの第３係合突起３０の移行が可能に構成されている。第２ガイド部２８ｂは、図７に示す如く、コンソールリッド１４の半開放位置において、第１係合突起２３を支点としてコンソールリッド１４の後端が下がるように回動(図７における時計方向の回動)する際に、第３係合突起３０を案内するべく機能する。すなわち、第２ガイド部２８ｂは、第１係合突起２３を中心とする円弧状に形成されて、第３係合突起３０を円滑に案内し得るようになっている。そして、第３係合突起３０が第２ガイド部２８ｂと第３ガイド部２８ｃとの連設部３１に至ることで、コンソールリッド１４は、コンソール本体１０の後側で斜めに起立して物品収納部１１の上部開口部１３を全開する全開位置に姿勢保持されるようになっている。なお、コンソール本体１０の後部上側には、上端から下方に向かうにつれて後側に傾斜する傾斜面１０ａが形成され、全開位置に臨むコンソールリッド１４を該傾斜面１０ａで支持するようにしてある。また、全開位置におけるコンソールリッド１４の重心は、第１係合突起２３を支点として連設部３１に臨む第３係合突起３０を押上げる方向にコンソールリッド１４を回動する位置に臨むように設定されて、自重によってコンソールリッド１４が閉成しないようになっている。
【００２１】
また連設部３１に臨む第３係合突起３０は、第３ガイド部２８ｃへの移行が許容されるように構成されており、第１係合突起２３を支点としてコンソールリッド１４の後端を上げるように回動(図７における反時計方向の回動)する際に、第３係合突起３０が第３ガイド部２８ｃに案内されて第１ガイド部２８ａの前端に至るように構成されている。なお、第３ガイド部２８ｃは、ガイド溝２８がなす三角形状の外側に凸状となる弧状に形成されて、第３ガイド部２８ｃで第３係合突起３０が案内されつつ回動変位するコンソールリッド１４の第２係合突起２７が、前出入口２５ａに円滑に入るようにしてある。
【００２２】
ガイド溝２８における第２ガイド部２８ｂと第３ガイド部２８ｃとの連設部３１には、該連設部３１に到来した第３係合突起３０が第２ガイド部２８ｂに移行するのを規制する規制手段としての回転体３２が、一方向への回転のみが許容される状態で枢支されている。この回転体３２は、図５に示す如く、周方向に離間して複数の規制片３２ａが突設された羽根車状に形成されて、隣り合う規制片３２ａ,３２ａの間に、第３係合突起３０を受容可能な凹部３２ｂが形成されている。回転体３２は、第２ガイド部２８ｂと連設部３１との間において、規制片３２ａが第２ガイド部２８ｂを塞ぐように配置される。そして、第２ガイド部２８ｂを塞いでいる規制片３２ａに対し、第２ガイド部２８ｂから連設部３１に向けて移動する第３係合突起３０が当接して進む方向への回転体３２の回転(図５では時計方向の回転)は許容されて、該第３係合突起３０の連設部３１への進入を許容するよう設定される(図８参照)。これに対し、第２ガイド部２８ｂを塞いでいる規制片３２ａに対し、第３ガイド部２８ｃから連設部３１に到来した第３係合突起３０が当接して第２ガイド部２８ｂに移行する方向への回転体３２の回転は不能とされて、該第３係合突起３０が連設部３１から第２ガイド部２８ｂに移行するのを阻止するようになっている。
【００２３】
なお、連設部３１には、第３ガイド部２８ｃの上端側に弾性体としての板バネ３３が配設され、連設部３１に到来した第３係合突起３０を板バネ３３により弾性保持し得るよう構成されている。但し、第３係合突起３０が第３ガイド部２８ｃから連設部３１へ移行する際、および連設部３１から第３ガイド部２８ｃへ移行する際には、板バネ３３は弾性変形して第３係合突起３０の移行を許容するようになっている。
【００２４】
(実施例の作用)
次に、実施例に係るコンソールリッドの開閉構造の作用について説明する。なお、前述したようにコンソール本体１０に対してコンソールリッド１４を開閉自在に支持する構造は、インナー部材１６を挟んで左右両側に配設されているが、以下の説明では図１に示す側を参照して説明する。
【００２５】
図１に示す如く、コンソールリッド１４が全閉位置に臨む状態で、第１係合突起２３が第１スライド用溝２４の後端に位置し、第２係合突起２７が第２スライド用溝２５の前端に位置し、第３係合突起３０がガイド溝２８における第１ガイド部２８ａの前端に位置している。この状態から物品収納部１１における前部領域１１ａを開放する場合は、図６に示す如く、コンソールリッド１４を後方に押すことで、該コンソールリッド１４は、各係合突起２３,２７,３０が対応する溝２４,２５および第１ガイド部２８ａに沿って案内されて水平に後退する。そして、第１係合突起２３が第１スライド用溝２４の前端に到来し、第２係合突起２７が第２スライド用溝２５の後端に到来し、第３係合突起３０が第１ガイド部２８ａの後端に到来することで、コンソールリッド１４の後退は規制されて該リッド１４は半開放位置に保持される。このとき、物品収納部１１における前部領域１１ａは開放され、該前部領域１１ａへの物品の収納あるいは物品の取出しを行なうことができる。
【００２６】
半開放位置に保持されているコンソールリッド１４は、前方に押すことで各係合突起２３,２７,３０が対応する溝２４,２５および第１ガイド部２８ａに沿って水平に案内されて前進し、各係合突起２３,２７,３０が対応する溝２４,２５および第１ガイド部２８ａの端部に到来することで、該コンソールリッド１４は全閉位置で位置規制される。
【００２７】
コンソールリッド１４が半開放位置に保持されている状態において、物品収納部１１を全開する場合は、前記指掛部１９ａを把持しながらコンソールリッド１４の前部を上方へ引き上げると、第２係合突起２７が後出入口２５ｂを介して第２スライド用溝２５から離脱して、該コンソールリッド１４の回動が許容される。すなわち、第１スライド用溝２４の前端に位置する第１係合突起２３を支点としてコンソールリッド１４は、後端部がコンソール本体１０の後側において下がるように回動する。このとき、第３係合突起３０が第１ガイド部２８ａの後端から第２ガイド部２８ｂに移行し、該第３係合突起３０が第２ガイド部２８ｂに沿って案内されることで、コンソールリッド１４の半開放位置から全開位置に向けての回動変位が円滑に行なわれる。
【００２８】
第２ガイド部２８ｂを移動する第３係合突起３０が、該第２ガイド部２８ｂと連設部３１との間を塞いでいる回転体３２の規制片３２ａに当接すると、第３係合突起３０の移動に伴って回転体３２が回転して該第３係合突起３０の連設部３１への進入を許容する(図８(ａ)〜(ｃ)参照)。連設部３１に到来した第３係合突起３０は、回転体３２の凹部３２ｂに受容された状態で、板バネ３３により弾性保持される。このとき、コンソールリッド１４は全開位置に至り、図７に示す如く、コンソール本体１０の傾斜面１０ａに当接支持された斜めの起立姿勢に保持される。コンソールリッド１４の全開位置において、物品収納部１１の上部開口部１３は全開され、前部領域１１ａおよび後部領域１１ｂに対する物品の出し入れを行なうことができる。なお、全開位置のコンソールリッド１４における重心が、図８において第１係合突起２３を支点としてコンソールリッド１４を時計方向(第３係合突起３０を押上げる方向)に回動させる位置に臨むと共に、連設部３１に位置する第３係合突起３０は板バネ３３によって弾性保持されているから、全開位置のコンソールリッド１４が不用意に閉成されるのは防止される。
【００２９】
コンソールリッド１４が全開位置に保持されている状態において、物品収納部１１を全閉する場合は、指掛部１９ａを把持しながらコンソールリッド１４の前部を前側下方に向けて押し下げる。これにより連設部３１に臨む第３係合突起３０は、板バネ３３を弾性変形させつつ第３ガイド部２８ｃに移行し、該第３係合突起３０が第３ガイド部２８ｃに沿って案内されることで、コンソールリッド１４は、第１係合突起２３を支点として回動しつつ全体として前方に移動する。そして、コンソールリッド１４の前部に配設されている第２係合突起２７が前出入口２５ａを介して第２スライド用溝２５に挿入されると共に、第３係合突起３０が第１ガイド部２８ａの前端に到来することで、該コンソールリッド１４は全閉位置に保持される。なお、第３ガイド部２８ｃは弧状に形成されているから、該第３ガイド部２８ｃで第３係合突起３０が案内されることで、第２係合突起２７は前出入口２５ａに対して略真上から進入するように移動するので、該前出入口２５ａに対する第２係合突起２７の進入は円滑に行なわれる。
【００３０】
また、連設部３１に臨む第３係合突起３０が、第２ガイド部２８ｂに移行するのは回転体３２により阻止されているから、コンソールリッド１４を押し下げる際に誤って第３係合突起３０が第２ガイド部２８ｂに移行して半開放位置に戻ってしまうことはない。すなわち、全開位置のコンソールリッド１４は、常に１アクションで全閉位置に戻すことができる。
【００３１】
ここで、全閉位置に保持されているコンソールリッド１４を全開位置に姿勢変位させるには、前述したように一旦後退させて半開放位置に移行した後に回動させる２アクションで行なう他に、１アクションで行なうことができる。すなわち、指掛部１９ａを把持しながらコンソールリッド１４の前部を引き上げると、第２係合突起２７が前出入口２５ａを介して第２スライド用溝２５から離脱し、該コンソールリッド１４の回動が許容される。すなわち、第１スライド用溝２４の後端に位置する第１係合突起２３を支点としてコンソールリッド１４は、前端部が上がるように回動する。このとき、第３係合突起３０が第１ガイド部２８ａの前端から第３ガイド部２８ｃに移行し、該第３係合突起３０が第３ガイド部２８ｃに沿って移動することで、コンソールリッド１４は回動しつつ全体が後方に移動する。また、このとき第１スライド用溝２４が第１係合突起２３で案内されつつ、該第１係合突起２３は第１スライド用溝２４に対して前端側に向けて相対的に移動する。そして、第３係合突起３０が連設部３１に到来することで、該コンソールリッド１４は全開位置に至る。このとき、第３係合突起３０が板バネ３３により弾性保持されることで、コンソールリッド１４は全開位置に保持される。
【００３２】
このように構成された実施例のコンソールリッドの開閉構造によれば、次のような作用効果を奏する。先ず、コンソールリッド１４の開閉構造として、単純なカム機構を採用しているので、構成が簡単となり、組立作業工数の低減および部品製造コストの低減を図り得る。また、コンソールリッド１４の全閉位置から全開位置への姿勢変位および全開位置から全閉位置への姿勢変位は、１アクションで行なうことができるから、操作性が向上する。
【００３３】
更に、全開位置に臨むコンソールリッド１４の第３係合突起３０は、回転体３２によって第２ガイド部２８ｂに移行し得ないようになっているから、コンソールリッド１４が全開位置から半開放位置に姿勢変位することはなく、常に１アクションで全閉位置に姿勢変位させることができる。なお、コンソールリッド１４は、半開放位置から全開位置への回動変位および全閉位置と全開位置との間の回動変位の際には、第１スライド用溝２４に係合している第１係合突起２３を支点として、第３係合突起３０が第２ガイド部２８ｂまたは第３ガイド部２８ｃで案内されるから、該コンソールリッド１４の回動は安定して行なわれる。
【００３４】
〔変更例〕
本願は前述した実施例の構成に限定されるものでなく、その他の構成を適宜に採用することができる。
１．コンソール本体に第３係合突起を設けると共に、該第３係合突起が係合するガイド溝をコンソールリッドに設ける構成を採用し得る。この場合は、コンソール本体における図１の連設部と対応する位置に第３係合突起を設けると共に、実施例とは上下反転した形状のガイド溝をコンソールリッドに設け、該ガイド溝における第１ガイド部の後端に第３係合突起が臨む状態が全閉位置となるようにすればよい。この変更例では、第３係合突起がガイド手段として機能すると共に、ガイド溝が係合手段として機能する。
２．ガイド溝および第３係合突起は、コンソール本体およびコンソールリッドの左右何れか一方にのみ設けられていればよい。
３．コンソールリッドが半開放位置から全開位置に回動変位する際に第３係合突起が案内される第２ガイド部は、実施例のような弧状である必要はない。例えば、コンソールリッドが第１係合突起に係合しない構成であれば、第２ガイド部は垂直上方に延在する形状であってもよい。同様にコンソールリッドが全閉位置と全開位置との間を姿勢変位する際に第３係合突起が案内される第３ガイド部についても、実施例のような弧状である必要はなく、直線形状であってもよい。
４．連設部に設けられる規制手段としては、例えば図９に示す如く、第２ガイド部２８ｂの上部側に設けた板バネ部材３４を採用することができる。この板バネ部材３４は、常には第２ガイド部２８ｂと連設部３１との間を塞ぐ姿勢に保持されて、第２ガイド部２８ｂから連設部３１に向けて移動する第３係合突起３０が板バネ部材３４に当接した際には第２ガイド部２８ｂから待避して該第２ガイド部２８ｂを開放し、第３係合突起３０の連設部３１への進入を許容する。そして、第３係合突起３０が板バネ部材３４から離間したときには、自身の弾性により第２ガイド部２８ｂを塞ぐ初期姿勢に戻るよう構成される。これに対し、初期姿勢の板バネ部材３４に連設部３１側から第３係合突起３０が当接しても第２ガイド部２８ｂから待避しないように構成されて、第３係合突起３０の第２ガイド部２８ｂへの移行を阻止するようになっている。この変更例によれば、規制手段の構成が簡単になって製造コストを更に低減することができる。
なお、規制手段としては、実施例および変更形の構成に限られるものでなく、第２ガイド部から連設部への第３係合突起の移行を許容すると共に、連設部から第２ガイド部への移行を阻止し得るものであれば、他の構成を採用し得る。
５．実施例では、ガイド溝における第１ガイド部の前後端に第３係合突起を当接することで、コンソールリッドを全閉位置と半開放位置とに位置決め保持するようにしたが、第１ガイド部における適宜位置にストッパ機構を設けることで、コンソールリッドを全開位置と半開放位置との間の適宜位置で保持するようにすることもできる。ストッパ機構としては、例えば図１０に示すように、板バネを折曲形状したストッパ３５の一部を第１ガイド部２８ａに臨ませ、該ストッパ２８ａの配設位置に到来した第３係合突起３０を弾性保持する構成が採用可能である。なお、ストッパ機構としては、図１０に示す構成に限らず、第３係合突起を一時的に保持可能で、コンソールリッドを所要の力で前後方向に押した際には保持が解除される各種の構成を採用し得る。
６．実施例では、コンソールリッドを前後方向にスライド移動することで全閉位置と半開放位置とに臨ませるようにしたが、該コンソールリッドをコンソール本体に対して左右方向にスライド移動することで全閉位置と半開放位置とに臨ませるよう構成すると共に、全閉位置または半開放位置から左または右側に向けて回動することで全開位置に臨ませる構成を採用することができる。
【産業上の利用可能性】
【００３５】
本発明に係るコンソールリッドの開閉構造は、物品収納部を画成したコンソール本体の上部に配設したコンソールリッドを、該物品収納部に対して全閉位置、半開放位置および全開位置に姿勢変位させ得るようにするもので、コンソールボックスを装備する全ての自動車に好適に実施可能である。
【図面の簡単な説明】
【００３６】
【図１】実施例に係るフロアコンソールを、コンソールリッドが全閉位置に保持された状態で一部破断して示す要部側面図である。
【図２】実施例のフロアコンソールにおける図１のＩＩ−ＩＩ線縦断正面図である。
【図３】実施例のフロアコンソールにおける図１のＩＩＩ−ＩＩＩ線縦断正面図である。
【図４】実施例のフロアコンソールにおける図１のＩＶ−ＩＶ線縦断正面図である。
【図５】第２ガイド部と第３ガイド部との連設部を示す要部側面図である。
【図６】実施例のフロアコンソールを、コンソールリッドが半開放位置に保持された状態で一部破断して示す要部側面図である。
【図７】実施例のフロアコンソールを、コンソールリッドが全開位置に保持された状態で一部破断して示す要部側面図である。
【図８】第３係合突起が第２ガイド部から連設部に移行する際の動作説明図である。
【図９】規制手段の変更例を示す要部側面図である。
【図１０】第１ガイド部にストッパを採用した変更例を示す要部側面図である。
【符号の説明】
【００３７】
１０ コンソール本体，１１ 物品収納部，１４ コンソールリッド
２３ 第１係合突起(係合突起)，２４ 第１スライド用溝(スライド用溝)
２８ ガイド溝(ガイド手段)，２８ａ 第１ガイド部，２８ｂ 第２ガイド部
２８ｃ 第３ガイド部，３０ 第３係合突起(係合手段)，３１ 連設部
３２ 回転体(規制手段)，３４ 板バネ部材(規制手段)
【図１】
2008105512.tif 000003
【図２】
2008105512.tif 000004
【図３】
2008105512.tif 000005
【図４】
2008105512.tif 000006
【図５】
2008105512.tif 000007
【図６】
2008105512.tif 000008
【図７】
2008105512.tif 000009
【図８】
2008105512.tif 000010
【図９】
2008105512.tif 000011
【図１０】
2008105512.tif 000012